(57)【要約】      （修正有）【課題】揺動により血液循環を促進すると共に、床擦れを防止する揺動可能なベッドを提供する。【解決手段】上フレーム１０、下フレーム２０、第１モータ３０及び連動ロッド３１を含み、前記第１モータが下フレームに設けられ、前記連動ロッドの一端が第１モータに樞接されると共に、他端が上フレームと連結されることにより、上フレームを左右に揺動することを特徴とする。【選択図】図１
0003109259.tif 000002
【実用新案登録請求の範囲】
【請求項１】
上フレーム、下フレーム、第１モータ及び連動ロッドを含み、
前記上フレームは第１上部ロッド、第２上部ロッド、横支持ロッド、支持プレート、縦支持ロッド及び連結ロッドを有し、
前記横支持ロッドは第１上部ロッド及び第２上部ロッドの間に設けられ、前記連結ロッドは夫々第１上部ロッド及び第２上部ロッドの一端に樞接され、該横支持ロッドと連結ロッドの下方に両端が夫々第１上部ロッドと第２上部ロッドに固定される第１固定プレート及び第２固定プレートが設けられ、
前記支持プレートは横支持ロッド及び連結ロッドの間に設けられると共に、両端が夫々第１上部ロッドと第２上部ロッドに固定され、
前記縦支持ロッドの両端にベアリングにより夫々第１固定プレートと第２固定プレートが樞接され、且つ該縦支持ロッドが支持プレートの下方に位置され、
前記第１固定プレート及び第２固定プレートの間に縦支持ロッド及びベアリングを貫通するの軸心が設けられ、
前記下フレームは第１下部ロッド、第２下部ロッド、横支持ロッド、二つの支持立ちロッド及びロッドを有し、
前記ロッドの両端にベアリングが設けられ、前記支持立ちロッドの間にベアリング及びロッドを貫通するの軸心が設けられ、
前記横支持ロッドの両端が夫々第１下部ロッドと第２下部ロッドの中央に設けられ、前記支持立ちロッドの一端が横支持ロッドに設けられ、
前記第１モータは下フレームに設けられ、前記連動ロッドの一端が第１モータに樞接されると共に、他端が支持プレートに連結されることを特徴とする揺動可能なベッド。
【請求項２】
前記下フレームに第２モータが設けられ、該第２モータの一端に出力ロッドを有するギアケースが設けられ、該出力ロッドの一端が前記縦支持ロッドと連結されることを特徴とする請求項１に記載の揺動可能なベッド。
【請求項３】
前記上フレームにおける第１上部ロッド及び第２上部ロッドの他端にアーチロッド及び連結ロッドが設けられ、
前記第１上部ロッドと第２上部ロッドに夫々取手ロッドが設けられ、
前記下フレームに両端が夫々第１下部ロッドと横支持ロッドと連結される連結ロッドが設けられ、前記第１モータは連結ロッドと横支持ロッドとの間に位置され、
前記支持プレートの一側が第１固定プレートと固定され、
前記第１上部ロッド及び第２上部ロッドの間に、前記連結ロッド、横支持ロッド及び連結ロッドの上方に位置する支持プレートが設けられ、該支持プレートは第１支持プレート、第２支持プレート及び第３支持プレートからなり、該第１支持プレートの一端が第１上部ロッドと第２上部ロッドに樞接され、第２支持プレートの一側に夫々第１連動プレートと第２連動プレートが設けられ、第１連動プレートと第２連動プレートとの間に連動ロッドが設けられ、前記第１下部ロッドと第２下部ロッドの両端に夫々ローラが設けられ、
更に、前記連結ロッドにハンドルが設けられ、該ハンドルと第１連動プレートとの間に回転ロッドが設けられることを特徴とする請求項２に記載の揺動可能なベッド。
【考案の詳細な説明】
【技術分野】
【０００１】
本考案は、ベッドが揺動することにより血液循環を促進すると共に、床擦れを防止する揺動可能なベッドに関する技術である。
【背景技術】
【０００２】
行動不便により長時間にベッドで横になければならない患者や老人には、床擦れはよく発生する病気である。床擦れとは体の抵抗力が落ちているとき、長時間同じ姿勢を続けていると皮膚や皮下組織が圧迫され、血行障害が起こり皮膚が壊死することで、圧迫のかかるところはどこでも出来、皮下の奥まで進み痛く苦しいだけでなく、患部が細菌の侵入口になり、感染した際には治りにくいものである。
【考案の開示】
【考案が解決しようとする課題】
【０００３】
又、上記床擦れを防止するため、介護をする人（例えば、家族又は看護士など）は、寝たきり患者や老人を常に動かす必要がある。しかし、介護をする人の不注意により床擦れが発生しやすいので、非常に面倒である。
【０００４】
そこで、案出されたのが本考案であって、揺動により血液循環を促進すると共に、床擦れを防止する揺動可能なベッドを提供することを目的としている。
【課題を解決するための手段】
【０００５】
本願の請求項１の考案は、
上フレーム、下フレーム、第１モータ及び連動ロッドを含み、
前記上フレームは第１上部ロッド、第２上部ロッド、横支持ロッド、支持プレート、縦支持ロッド及び連結ロッドを有し、
前記横支持ロッドは第１上部ロッド及び第２上部ロッドの間に設けられ、前記連結ロッドは夫々第１上部ロッド及び第２上部ロッドの一端に樞接され、該横支持ロッドと連結ロッドの下方に両端が夫々第１上部ロッドと第２上部ロッドに固定される第１固定プレート及び第２固定プレートが設けられ、
前記支持プレートは横支持ロッド及び連結ロッドの間に設けられると共に、両端が夫々第１上部ロッドと第２上部ロッドに固定され、
前記縦支持ロッドの両端にベアリングにより夫々第１固定プレートと第２固定プレートが樞接され、且つ該縦支持ロッドが支持プレートの下方に位置され、
前記第１固定プレート及び第２固定プレートの間に縦支持ロッド及びベアリングを貫通するの軸心が設けられ、
前記下フレームは第１下部ロッド、第２下部ロッド、横支持ロッド、二つの支持立ちロッド及びロッドを有し、
前記ロッドの両端にベアリングが設けられ、前記支持立ちロッドの間にベアリング及びロッドを貫通するの軸心が設けられ、
前記横支持ロッドの両端が夫々第１下部ロッドと第２下部ロッドの中央に設けられ、前記支持立ちロッドの一端が横支持ロッドに設けられ、
前記第１モータは下フレームに設けられ、前記連動ロッドの一端が第１モータに樞接されると共に、他端が支持プレートに連結されることを特徴とする揺動可能なベッド及び、
本願の請求項２の考案は、
前記下フレームに第２モータが設けられ、該第２モータの一端に出力ロッドを有するギアケースが設けられ、該出力ロッドの一端が前記縦支持ロッドと連結されることを特徴とする請求項１に記載の揺動可能なベッド及び、
本願の請求項３の考案は、
前記上フレームにおける第１上部ロッド及び第２上部ロッドの他端にアーチロッド及び連結ロッドが設けられ、
前記第１上部ロッドと第２上部ロッドに夫々取手ロッドが設けられ、
前記下フレームに両端が夫々第１下部ロッドと横支持ロッドと連結される連結ロッドが設けられ、前記第１モータは連結ロッドと横支持ロッドとの間に位置され、
前記支持プレートの一側が第１固定プレートと固定され、
前記第１上部ロッド及び第２上部ロッドの間に、前記連結ロッド、横支持ロッド及び連結ロッドの上方に位置する支持プレートが設けられ、該支持プレートは第１支持プレート、第２支持プレート及び第３支持プレートからなり、該第１支持プレートの一端が第１上部ロッドと第２上部ロッドに樞接され、第２支持プレートの一側に夫々第１連動プレートと第２連動プレートが設けられ、第１連動プレートと第２連動プレートとの間に連動ロッドが設けられ、前記第１下部ロッドと第２下部ロッドの両端に夫々ローラが設けられ、
更に、前記連結ロッドにハンドルが設けられ、該ハンドルと第１連動プレートとの間に回転ロッドが設けられることを特徴とする請求項２に記載の揺動可能なベッド、を提供する。
【考案の効果】
【０００６】
本考案は、上記の課題を解決するものであり、第１モータによって連動ロッドと支持プレートを駆動して、上フレームが縦支持ロッドを回転中心として左右に揺動することにより、患者の身体を動かしながら血液循環を促進させるので、床擦れを防止することができる。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１は本考案に係る揺動可能なベッドの斜視図であり、図２は本考案に係る揺動可能なベッドの縦支持ロッド、第１固定プレート及び第２固定プレートの結合状態を示す平面図であり、図３は本考案に係る揺動可能なベッドの第１モータと連動ロッドの結合状態を示す斜視図であり、図４は本考案に係る揺動可能なベッドの使用状態を示す側面図であり、図５は本考案に係る揺動可能なベッドの使用状態を示す斜視図であり、図６は本考案に係る揺動可能なベッドの揺動前状態を示す平面図であり、図７は本考案に係る揺動可能なベッドの右への揺動状態を示す平面図であり、図８は本考案に係る揺動可能なベッドの左への揺動状態を示す平面図である。
【０００９】
図１に示すように、本考案に係る揺動可能なベッドは、上フレーム（１０）と、下フレーム（２０）と、第１モータ（３０）と、連動ロッド（３１）と、第２モータ（３２）と、出力ロッド（３４）とを備える。
【００１０】
前記上フレーム（１０）は、互いに平行する第１上部ロッド（１１）及び第２上部ロッド（１２）と、それぞれ該第１ロッド（１１）及び第２ロッド（１２）の一端に設けられるアーチロッド（１３）及び連結ロッド（１４）と、それぞれ該第１ロッド（１１）及び第２ロッド（１２）に設けられる取手ロッド（１１１）（１２１）と、該第１ロッド（１１）及び第２ロッド（１２）の中央に設けられる横支持ロッド（１５）と、該第１ロッド（１１）及び第２ロッド（１２）の一端に設けられる連結ロッド（１７）と、支持プレート（１６）と、第１固定プレート（１５１）と第２固定プレート（１７１）の間に設けられる縦支持ロッド（１８）とを有し、前記横支持ロッド（１５）と連結ロッド（１７）の下方に両端が夫々第１上部ロッド（１１）と第２上部ロッド（１２）に固定される第１固定プレート（１５１）と第２固定プレート（１７１）が設けられる。
【００１１】
前記支持プレート（１６）は横支持ロッド（１５）と連結ロッド（１７）との間に設けられ、両端が夫々第１上部ロッド（１１）と第２上部ロッド（１２）に固定されると共に、その一側が第１固定プレート（１５１）に連結される。
【００１２】
又、図１及び図２に示すように、前記縦支持ロッド（１８）の両端にベアリング（１８１）が設けられ、ベアリング（１８１）に縦支持ロッド（１８）を貫通することによって夫々第１固定プレート（１５１）と第２固定プレート（１７１）と連結する軸心（１８２）が設けられる。
【００１３】
前記下フレーム（２０）は、互いに平行する第１下部ロッド（２１）及び第２下部ロッド（２２）と、両端が夫々第１下部ロッド（２１）と第２下部ロッド（２２）に固定される連結ロッド（２３）及び横支持ロッド（２４）と、一端が横支持ロッド（２４）に固定される支持立ちロッド（２５）（２６）と、支持立ちロッド（２５）（２６）の間に設けられるロッド（２７）と、第１下部ロッド（２１）及び第２下部ロッド（２２）の両端に設けられるローラ（２８）とを有する。
【００１４】
前記ロッド（２７）の両端に夫々ベアリング（２７１）が設けられ、該ベアリング（２７１）にロッド（２７）を貫通することによって夫々支持立ちロッド（２５）（２６）と連結する軸心（２７２）が設けられることにより、上フレーム（１０）を支える。
【００１５】
又、図１、図３及び図４に示すように、前記第１モータ（３０）は連結ロッド（２３）と横支持ロッド（２４）との間に設けられ、前記連動ロッド（３１）の一端が第１モータ（３０）により駆動される回転ディスク（符号なし）に連結すると共に、他端が回転可能のように支持プレート（１６）に連結する。
【００１６】
前記第２モータ（３２）は横支持ロッド（２４）の付近の下フレーム（２０）に設けられ、その一端に減速用のギアケース（３３）が設けられ、前記出力ロッド（３４）の一端が該ギアケース（３３）に連接すると共に、他端が縦支持ロッド（１８）と連結する。
【００１７】
図４及び図５に示すように、本実施例について、前記第１上部ロッド（１１）及び第２上部ロッド（１２）の間における連結ロッド（１４）、横支持ロッド（１５）及び連結ロッド（１７）の上側に、互いに樞接される第１支持プレート（４０１）、第２支持プレート（４０２）及び第３支持プレート（４０３）からなる支持プレート（４０）が設けられ、該第１支持プレート（４０１）の一端が夫々第１上部ロッド（１１）と第２上部ロッド（１２）と樞接され、第２支持プレート（４０２）の一側に第２上部ロッド（１２）と支持プレート（４０）との間における第１連動プレート（４３）と第２連動プレート（４５）が設けられ、第１連動プレート（４３）と第２連動プレート（４５）との間に連動ロッド（４４）が設けられ、又、連結ロッド（１４）にハンドル（４１）が設けられ、該ハンドル（４１）と第１連動プレート（４３）との間に回転ロッド（４２）が設けられる。
【００１８】
又、図６乃至図８に示すように、本考案を使用する場合、第１モータ（３０）によって連動ロッド（３１）と支持プレート（１６）を駆動することにより、上フレーム（１０）が縦支持ロッド（１８）を回転中心として左右に揺動することができるので、患者の体を動かしながら血液循環を促進することにより、床擦れを防止することができる。
【００１９】
又、第２モータ（３２）を起動すると、ギアケース（３３）によって出力ロッド（３４）を駆動すると共に、縦支持ロッド（１８）を連動することにより、上フレーム（１０）がロッド（２７）を回転中心として上方へ傾斜することができる。
【００２０】
又、図４及び図５に示すように、介護をする人はハンドル（４１）によって回転ロッド（４２）を回転すると、第１支持プレート（４０１）と第３支持プレート（４０３）を上方へ傾斜することができる。尚、この部分の連動構造は従来と等しいため、詳細な説明を省略する。
【産業上の利用可能性】
【００２１】
本考案は上記の構成を有し、第１モータによって連動ロッドと支持プレートを駆動して、上フレームが縦支持ロッドを回転中心として左右に揺動することにより、患者の身体を動かしながら血液循環を促進させるので、床擦れを防止することができる。
【図面の簡単な説明】
【００２２】
【図１】本考案に係る揺動可能なベッドの斜視図である。
【図２】本考案に係る揺動可能なベッドの縦支持ロッド、第１固定プレート及び第２固定プレートの結合状態を示す平面図である。
【図３】本考案に係る揺動可能なベッドの第１モータと連動ロッドの結合状態を示す斜視図である。
【図４】本考案に係る揺動可能なベッドの使用状態を示す側面図である。
【図５】本考案に係る揺動可能なベッドの使用状態を示す斜視図である。
【図６】本考案に係る揺動可能なベッドの揺動前状態を示す平面図である。
【図７】本考案に係る揺動可能なベッドの右への揺動状態を示す平面図である。
【図８】本考案に係る揺動可能なベッドの左への揺動状態を示す平面図である。
【符号の説明】
【００２３】
１０        上フレーム
１１        第１上部ロッド
１１１      取手ロッド
１２        第２上部ロッド
１２１      取手ロッド
１３        アーチロッド
１４        連結ロッド
１５        横支持ロッド
１５１      第１固定プレート
１６        支持プレート
１７        連結ロッド
１７１      第２固定プレート
１８        縦支持ロッド
１８１      ベアリング
１８２      軸心
２０        下フレーム
２１        第１下部ロッド
２２        第２下部ロッド
２３        連結ロッド
２４        横支持ロッド
２５        支持立ちロッド
２６        支持立ちロッド
２７        ロッド
２７１      ベアリング
２７２      軸心
２８        ローラー
３０        第１モータ
３１        連動ロッド
３２        第２モータ
３３        ギアケース
３４        出力ロッド
４０        支持プレート
４０１      第１支持プレート
４０２      第２支持プレート
４０３      第３支持プレート
４１        ハンドル
４２        回転ロッド
４３        第１連動プレート
４４        連動ロッド
４５        第２連動プレート
【図１】
0003109259.tif 000003
【図２】
0003109259.tif 000004
【図３】
0003109259.tif 000005
【図４】
0003109259.tif 000006
【図５】
0003109259.tif 000007
【図６】
0003109259.tif 000008
【図７】
0003109259.tif 000009
【図８】
0003109259.tif 000010